(57)【要約】【課題】撮影機器に予め設定した絞り値に対し、照明ランプ、フラッシュの発光量に過不足がある場合においてもライティング調整を行わず、設定した絞り値を変更することなく、適正露出により被写体の撮影が可能となるようにする露出計を提供する。【解決手段】入射光受光部からの入射光あるいは反射光を受光素子により電気信号に変換し、該電気信号に基づく演算処理により得られた結果を露出情報として表示部に表示するようにした露出計であり、入射測光を行ったとき、入射光受光部からの入射光量に基づき、予め設定した露出値が適正露出となるＩＳＯ感度値を算出し、該ＩＳＯ感度値を前記表示部に表示する。【選択図】図１
2010096531.tif 000002
【特許請求の範囲】
【請求項１】
入射光受光部からの入射光あるいは反射光を受光素子により電気信号に変換し、該電気信号に基づく演算処理により得られた結果を露出情報として表示部に表示するようにした露出計であり、
入射測光を行ったとき、入射光受光部からの入射光量に基づき、予め設定した露出値が適正露出となるＩＳＯ感度値を算出し、該ＩＳＯ感度値が前記表示部に表示されるようにしたことを特徴とする露出計。
【請求項２】
前記予め設定した露出値が絞り値であることを特徴とする請求項１記載の露出計。
【請求項３】
前記予め設定した露出値が絞り値およびシャッター速度値であることを特徴とする請求項１記載の露出計。
【発明の詳細な説明】
【技術分野】
【０００１】
本発明は、写真撮影において、被写体から反射した光の量（被写体輝度）、あるいは被写体を照射している光の量（照度）を測定し、露出値を演算してその結果を表示するようにした露出計に関する。
【背景技術】
【０００２】
一般的な写真撮影では、太陽や照明ランプのような定常光、フラッシュのような瞬間光が被写体を照明し、被写体で反射した光が撮影機器（デジタルカメラなど）のレンズを透過してフィルム面（撮像センサー面）に結像されるようにしている。被写体の明るさは撮影状況により変化するものであることから、明るさを測定して撮影機器の絞り値およびシャッター速度値を調整して組み合わせた露出値により、常に適正な光量（適正濃度）となるようにしている。
【０００３】
従来、この露出値はＩＳＯ感度値を基準にして決定されるもので、このＩＳＯ感度値は予め撮影機器、露出計に設定されるものである。このＩＳＯ感度値が基準として設定されていることにより、例えば、絞り値を一定にして被写体の明暗に対処する場合は、シャッター速度値を変更することにより可能となる。また、シャッター速度値を一定にした場合は、絞り値を変更することにより被写体の明暗に対処することができ、撮影者の作画意図を反映させることができる。
【０００４】
このような露出調整機能は、近年の撮影機器の殆どに搭載されているものであり、撮影者が任意に設定することが可能となっている。一方、露出計においても、かかる機能は基本的に共通するものであり、ＩＳＯ感度値を撮影者が設定し、これを基準にして露出測光により得られた結果に基づいて絞り値およびシャッター速度値を決定するようにしている（特許文献１参照）。
【特許文献１】特開平１１−３３８０３１号公報
【発明の開示】
【発明が解決しようとする課題】
【０００５】
ところで、スタジオ撮影などにより撮影者の作画意図を有効に反映させる場合、撮影現場において照明ランプによる定常光、フラッシュによる瞬間光を組み合わせることが一般化している。特に、フラッシュは単に被写体の暗い部分に光りを補うだけでなく、高品質な画像となるようにするため必要不可欠な光源であり、積極的に活用されている。
【０００６】
また、ライティングにおいては、フラッシュが１灯だけ使用されることは殆どなく、通常２灯以上のフラッシュおよび反射板が使用されている。ところが、フラッシュ光のみでは出し得ないニュアンスを定常光も加えて再現したいような場合には、フラッシュのライティングは更に難しくなる。このような複雑なライティングを行う場合、ライティング調整のノウハウを体得している撮影者の永年の経験、知識を必要とするものである。
【０００７】
また、このようにして高品質の画像を得るようにする場合、撮影者の作画意図を反映させるために重要となる要素に被写界深度がある。これは、絞り値優先とするもので、合焦範囲が絞り値により決定されるため、撮影条件として最も優先して決定されるものである。ところが、スタジオ撮影において発光する照明ランプおよびフラッシュは大掛かりな電源装置に接続され、発光量を微調整することができないことから、撮像機器の特定の絞り値に対して適正な発光量で発光させることが甚だ困難であった。また、フラッシュは極めて微少時間で発光する瞬間光であるため、シャッター速度値の変更によっても対応できるものではなかった。
【０００８】
かかる撮影現場の現実において、所望の絞り値で撮影を行うにあたり、照明ランプ、フラッシュの光量が多い場合、または光量が少ない場合には、被写体に対する照明ランプ、フラッシュの前後位置を変更し、その都度、反射板のセッティングを変更して露出計による露出測光を繰り返すことになる。また、照明ランプ、フラッシュの位置を変更して所望の絞り値となるようにすることができても、光源の遠近の変化により色温度が変化したり陰影に変化が生じたりすることがあり、作画意図が乱される結果となってしまうことになる。
【０００９】
本発明は、このような従来の問題に鑑みなされたもので、撮影機器に予め設定した絞り値に対し、照明ランプ、フラッシュの発光量に過不足がある場合においても、ライティング調整を行わず、設定した絞り値を変更することなく、適正露出により被写体の撮影が可能となるようにする露出計を提供することを目的とするものである。
【課題を解決するための手段】
【００１０】
そこで本発明は、以下に述べる各手段により上記課題を解決するようにした。即ち、請求項１記載の発明では、入射光受光部からの入射光あるいは反射光を受光素子により電気信号に変換し、該電気信号に基づく演算処理により得られた結果を露出情報として表示部に表示するようにした露出計であり、入射測光を行ったとき、入射光受光部からの入射光量に基づき、予め設定した露出値が適正露出となるＩＳＯ感度値を算出し、該ＩＳＯ感度値が前記表示部に表示されるようにする。
【００１１】
請求項２記載の発明では、上記請求項１記載の露出計において、予め設定した露出値が絞り値であるようにする。
【００１２】
請求項３記載の発明では、上記請求項１記載の露出計において、予め設定した露出値が絞り値およびシャッター速度値であるようにする。
【発明の効果】
【００１３】
本発明によれば、撮影機器に予め設定した絞り値に対し、照明ランプ、フラッシュの発光量に過不足がある場合においても、ライティング調整を行わず、設定した絞り値を変更することなく、適正露出により被写体の撮影が可能となる。したがって、撮影者が任意に設定した所望の露出値により、どのような光の状態においても撮影意図が反映される被写界深度となり、また、カメラブレや被写体ブレが避けられるシャッター速度値の設定も可能となる。
【発明を実施するための最良の形態】
【００１４】
以下、本発明の実施形態を図にもとづいて詳細に説明する。本発明の露出計Ｅは、撮影者が片手で保持でき操作が可能な大きさ形状となるようにしてあり、図１に正面図、図２に同背面、図３に同側面図を示す。
【００１５】
図１において、装置本体１の正面上部には電源ボタン２、およびスポット測光ファインダー３が配設され、正面下部にはＩＳＯボタン４、ラチチュードボタン５、モードボタン６、メモリーボタン７、Ｓ／Ａ／Ｈボタン８、クリアボタン９、インスタントフィルムＩＳＯボタン１０、シンクロターミナル１１が配設されている。
【００１６】
さらに、装置本体１の正面中央部には液晶表示窓１２が構成されており、上端には入射光受光部１３が取り付けられている。また、装置本体１の側部にはスポット測光ボタン１４、入射測光ボタン１５、アップダウンダイヤル１６が配設されている。そして、装置本体１の背面には図３に示すように、視度調整ダイヤル１７、対物レンズ窓１８が配設されている。
【００１７】
つぎに、前記液晶表示窓１２に表示される表示要素を図４（説明のため、全ての表示を点灯させた状態を示す）に基づいて説明する。同図において、アナログスケールステータス表示部１２ａでは、ステータス１２ａ−１が点灯しているときは入射光式測光を示し、ステータス１２ａ−２が点灯しているときは反射光式測光を示す。
【００１８】
液晶表示窓１２の側部の縦方向に表示されるアナログスケール１２ｂは、入射式測光の測定値やメモリー値、入射式測光または反射式測光の基準値やラチチュードに対応したドットが点灯する。また、アナログスケール１２ｃは、反射式測光の測定値やメモリー値に対応したドットが点灯する。
【００１９】
測定値ステータス表示部１２ｄでは、表示データが入射光式測光での測定値の場合はステータス１２ｄ−１が点灯し、反射光式測光の場合はステータス１２ｄ−２が点灯する。Ｓ／Ａ／Ｈ表示部１２ｅは、被写体をスポット測光し、作画意図に合わせてシャドー基準露光（Ｓ）、アベレージ露光（Ａ）、ハイライト基準露光（Ｈ）の指定が可能であり、指定した露光のいずれかのマークが点灯する。
【００２０】
Ｆｎｏ．／ＥＶ値表示部１２ｆには、絞り値（Ｆｎｏ．）あるいは露光指数（ＥＶ）が表示される。シャッター速度値表示部１２ｇには、アップダウンダイヤル１６で設定したシャッター速度値が表示される。４分割アナライズ表示部１２ｉには、フラッシュ光測定で得た露出値のうち、フラッシュ光成分の割合をフラッシュ光測定表示部１２ｉとともに表示する。ＩＳＯ表示部１２ｊにはＩＳＯ感度値が表示され、測定モード表示部１２ｈには各種の測定モードが表示される。
【００２１】
つぎに、本発明の露出計Ｅの装置本体１に組み込まれる電気系回路の概要を図５に基づいて説明する。同図に示すブロック図において、測光部２０には、入射受光部１３から入射した光を受光素子２０ａが受光し、その受光量に応じた電気信号が光電変換回路２０ｂにおいて生成される。この電気信号はアナログ値で積分・Ａ／Ｄ変換回路２０ｃに入力し、デジタル値に変換される。
【００２２】
光トリガー回路２０ｄは、後述する制御部２１からの信号と、フラッシュ発光のタイミングを光電変換回路２０ｂからの信号に基づいて積分・Ａ／Ｄ変換回路２０ｃにおけるデータ変換の時期を決定するようにしている。電源回路２０ｅにはバッテリーＢから電力が供給され、この電力が光電変換回路２０ｂ、積分・Ａ／Ｄ変換回路２０ｃ、光トリガー回路２０ｄに分配されて供給される。また、電力の一部は、２．５Ｖ基準電圧回路２０ｆに供給され、ここで生成された２．５Ｖの基準電圧により光電変換回路２０ｂおよび積分・Ａ／Ｄ回路２０ｃの正確な動作が確保されるようにしている。
【００２３】
制御部２１は、ＣＰＵ（中央制御部）２１ａにシンクロターミナル回路２１ｂ、ＥＥＰＲＯＭ回路２１ｃ、クリアボタン９により起動されるリセット回路２１ｄ、電圧検出回路２１ｅ、装置本体１に実装された電源ボタン２、アップダウンダイヤル１６などを含むキースイッチ２１ｆ、液晶表示窓１２に配設されるＬＣＤ２１ｇが接続され、装置全体の制御が行われる。
【００２４】
前記シンクロターミナル回路２１ｂのターミナル２１ｂ−１にはスタジオフラッシュなどが接続され、スポット測光ボタン１４あるいは入射測光ボタン１５が押されたとき、フラッシュの発光を指示する信号が出力される。ＥＥＰＲＯＭ回路２１ｃは、キースイッチ２１ｆの操作により設定された絞り値、シャッター速度値、ＩＳＯ感度値、あるいは測光したデータを一時的に記憶する。
【００２５】
リセット回路２１ｄは、前記のようにＥＥＰＲＯＭ２１ｃに記憶された記憶内容を消去する機能を備える。電圧検出回路２１ｅは、前記電源回路２０ｅから供給される電圧値を常時監視し、バッテリーＢの電力が衰えたとき、警告を発する。ＬＣＤ２１ｇは、液晶表示窓１２に表示される前述した各表示要素を表示する。
【００２６】
つぎに、本発明の露出計Ｅによる測光手順について以下に説明する。まず、本発明の露出計Ｅは一般的な使用態様が可能であるので、図６に基づいてその測光手順を説明する。なお、本発明の露出計Ｅには、従来の「シャッター速度値優先モード」、「絞り値優先モード」などに加え「ＩＳＯ感度値測定モード」を備え、各モードをモードボタン６の押圧操作で選定できるようにしている。
【００２７】
図６は、シャッター速度値を優先させる設定であり、この場合、測光にあたり予めＩＳＯ感度値を設定する必要がある。このＩＳＯ感度値の設定は、装置本体１のＩＳＯボタン４を押圧操作しながらアップダウンダイヤル１６を回し、所要のＩＳＯ感度値を液晶表示窓１２に表示させ、ＩＳＯボタン４の押圧操作を中止することにより設定が完了する。図６（Ａ）は、設定したＩＳＯ感度値「１００」が液晶表示窓１２のＩＳＯ表示部１２ｊに表示されている状態を示す。
【００２８】
つぎに、シャッター速度値は、モードボタン６の押圧操作でモード設定を行い、アップダウンダイヤル１６を回して所要のシャッター速度値を設定する。図６（Ａ）は、設定した１／６０秒を示すシャッター速度値（ TIME ）「６０」が液晶表示窓１２のシャッター速度値表示部１２ｇに設定された状態を示す。
【００２９】
このようにして、ＩＳＯ感度値およびシャッター速度値が設定され、入射光受光部１３を被写体に向けてスポット測光ボタン１４または入射光測光ボタン１５を押圧操作することにより、入射光受光部１３から入射した入射光の光量に基づき測光部２０において露出計算がなされ、例えば、図６（Ｂ）に示すように絞り値（ FNo.  ）「４．０」と表示される。これにより、撮影者は、撮影機器のレンズの絞り値を適正に設定することが可能となる。
【００３０】
図７は、ＩＳＯ感度値「１００」が設定されている状態で絞り値「６．０」に対するシャッター速度値を求める「絞り値優先モード」の例を示すもので、図７（Ａ）に示す設定状態において、スポット測光ボタン１４または入射光測光ボタン１５を押圧操作することにより、入射光受光部１３から入射した入射光の光量に基づき測光部２０において露出計算がなされ、例えば、図７（Ｂ）に示すように１／１２５秒を示すシャッター速度値「１２５」が液晶表示窓１２のシャッター速度値表示部１２ｇに表示される。これにより、撮影者は、撮影機器のシャッター速度値を適正に設定することが可能となる。
【００３１】
つぎに、本発明の露出計Ｅにより、「ＩＳＯ感度値測定モード」を指定して所望の絞り値に対し必要とされるＩＳＯ感度値が得られるようにする測光手順を図８に基づいて以下に説明する。図８（Ａ）に示すようにこのモードを選択すると、液晶表示窓１２のＩＳＯ表示部１２ｊにＩＳＯ感度値は表示されない。
【００３２】
かかる状態で絞り値「８．０」、シャッター速度値「６０」が設定され、スポット測光ボタン１４または入射光測光ボタン１５を押圧操作することにより、入射光受光部１３から入射した入射光の光量に基づき測光部２０において、設定された絞り値「８．０」で撮影するに必要なＩＳＯ感度値を算出し、例えば、図８（Ｂ）に示すようにＩＳＯ感度値「１０００」が液晶表示窓１２のＩＳＯ表示部１２ｊに表示される。これにより、撮影者は、撮影機器のＩＳＯ感度値を適正に設定することができ、所望の絞り値で被写体の撮影が可能となる。
【００３３】
以上の説明から明らかなように、測光によりＩＳＯ感度値が得られるようにしたので、設定した露出条件を変更せず、また、撮影位置や照明器具の設置位置を変更せずに、撮影機器のＩＳＯ感度値を変更するのみで撮影者の作画意図が乱されることなく、高品質の撮影が可能となるなど、本発明特有の効果を奏する。
【図面の簡単な説明】
【００３４】
【図１】本発明の露出計の正面図である。
【図２】本発明の露出計の背面図である。
【図３】本発明の露出計の側面図である。
【図４】本発明の露出計の液晶表示窓の表示要素の説明図である。
【図５】本発明の露出計の電気系回路の概要を示すブロック図である。
【図６】本発明の露出計による測光の例の説明図である。
【図７】本発明の露出計による測光の例の説明図である。
【図８】本発明の露出計による測光の例の説明図である。
【符号の説明】
【００３５】
Ｅ・・・・・・・露出計
１・・・・・・・装置本体
２・・・・・・・電源ボタン
３・・・・・・・スポット測光ファインダー
４・・・・・・・ＩＳＯボタン
５・・・・・・・ラチチュードボタン
６・・・・・・・モードボタン
７・・・・・・・メモリーボタン
８・・・・・・・Ｓ／Ａ／Ｈボタン
９・・・・・・・クリアボタン
１０・・・・・・インスタントフィルムＩＳＯボタン
１１・・・・・・シンクロターミナル
１２・・・・・・液晶表示部
１３・・・・・・入射光受光部
１４・・・・・・スポット測光ボタン
１５・・・・・・入射測光ボタン
１６・・・・・・アップダウンダイヤル
【図１】
2010096531.tif 000003
【図２】
2010096531.tif 000004
【図３】
2010096531.tif 000005
【図４】
2010096531.tif 000006
【図５】
2010096531.tif 000007
【図６】
2010096531.tif 000008
【図７】
2010096531.tif 000009
【図８】
2010096531.tif 000010